(57)【特許請求の範囲】
【請求項１】
データベースと、データベースから送信されたカラオケ情報に含まれる背景画像選択信号に応じて選択された背景画像情報を、通信カラオケ装置に接続された背景画像再生装置から受け入れ、カラオケ情報中の歌詞情報と重畳し、両者の複合画像をディスプレイすると共に、カラオケ音楽を再生するタイプのカラオケ端末機を含む通信カラオケシステムにおいて、下記の構成要素を具備した通信カラオケシステム。
（１）市販されている背景画像再生装置の少なくとも主要な機種の遠隔制御データを記録し、要求に応じてカラオケ装置に送信し得る遠隔制御データベース。
（２）カラオケ端末機と組み合わせて使用する背景画像再生装置の機種を指定し、その機種の遠隔制御データの送信を遠隔制御データベースに要求し、受信した遠隔制御データを記録して、使用する背景画像再生装置を制御するインターフェイス。
【発明の詳細な説明】
【０００１】
【発明の属する技術分野】
本発明は、背景画像情報と歌詞情報を重畳し、両者の複合画像をディスプレイすると共に、カラオケ音楽を再生するタイプのカラオケ端末機を含む通信カラオケシステムに関する。
【０００２】
【従来の技術】
一般的に、歌詞及びカラオケ曲と共に背景画像を提供する通信カラオケシステムは、背景画像再生機能を具備しないカラオケ端末機に、多数の背景画像情報が収録された記録媒体を具備する遠隔制御可能な背景画像再生装置を接続して使用するものが多い。
【０００３】
この背景画像再生装置は、データベースから送信されたカラオケ情報中に含まれる背景画像選択信号に応じ、リクエスト曲に相応しい背景画像を選択して出力するものであるが、この背景画像選択信号は、背景画像再生装置を作動させるための遠隔制御信号ではないため、これをインターフェイスで所要の遠隔信号データに基づいて遠隔制御信号に変換しなければならない。
【０００４】
しかし、この遠隔制御データには様々な規格があり、この変換に用いられるインターフェイスは遠隔制御データの規格ごとに異なるものであるので、各カラオケ端末機には、接続される背景画像再生装置の規格に対応したインターフェイスが設けられるものである。
【０００５】
従って、背景画像再生装置の交換によって、接続される背景画像再生装置の遠隔制御データの規格が以前のものと変わった場合、利用者は、インターフェイスもその新たな背景画像再生装置に対応するものに交換しなければならず、利用者の負担が大きいという問題があった。
【０００６】
また、メーカー側も規格の種類に応じた品揃えをしなければならない上、個数を予測して製造しなければならないため、インターフェイス自体が割高になるという問題があった。
【０００７】
【発明が解決しようとする課題】
本発明は上記の問題を解決するためなされたものであり、その目的とするところは、一台のインターフェイスで総ての規格の背景画像再生装置に対応し得る通信カラオケシステムを提供することにある。
【０００８】
【課題を解決するための手段】
上記の目的は、
データベースと、データベースから送信されたカラオケ情報に含まれる背景画像選択信号に応じて選択された背景画像情報を、通信カラオケ装置に接続された背景画像再生装置から受け入れ、カラオケ情報中の歌詞情報と重畳し、両者の複合画像をディスプレイすると共に、カラオケ音楽を再生するタイプのカラオケ端末機を含む通信カラオケシステムにおいて、下記の構成要素を具備した通信カラオケシステムによって達成される。
（１）市販されている背景画像再生装置の少なくとも主要な機種の遠隔制御データを記録し、要求に応じてカラオケ装置に送信し得る遠隔制御データベース。
（２）カラオケ端末機と組み合わせて使用する背景画像再生装置の機種を指定し、その機種の遠隔制御データの送信を遠隔制御データベースに要求し、受信した遠隔制御データを記録して、使用する背景画像再生装置を制御するインターフェイス。
【０００９】
上記の如き構成であると、インターフェイスが背景画像選択信号をあらゆる規格の遠隔制御信号に変換し得るので、背景画像再生装置の規格が変わってもインターフェイスを交換する必要がない。
【００１０】
【発明の実施の形態】
以下、図面により本発明の詳細を説明する。
図１は本発明に係る通信カラオケシステムのネットワーク構造を示すブロック図である。
【００１１】
以下、図１について説明する。
図１中、１はデータベース、２は公衆電話回線網、３はデータベース１に公衆電話回線網２を介して接続されたカラオケ端末機、４は公衆電話回線網２とカラオケ端末機３との間に設けられるインターフェイス、５は入力端がインターフェイスに出力端がカラオケ端末機３に接続される背景画像再生装置である。
【００１２】
なお、図ではカラオケ端末機３は１台しか示さなかったが、これ以外にも以下に説明するカラオケ端末機３、インターフェイス４及び背景画像再生装置５と同様のものがデータベース１に多数接続されているものである。
【００１３】
データベース１は、カラオケ情報データベース１０と、遠隔制御データベース１１を有する。
カラオケ情報データベース１０は、カラオケ音楽情報、歌詞情報及び背景画像選択信号から成る多数のカラオケ情報を記録し、利用者のリクエストに応じて所要のカラオケ情報を送信するものである。
【００１４】
遠隔制御データベース１１は、市販されている背景画像再生装置５の少なくとも主要な機種の遠隔制御データを記録し、そのデータを利用者の要求に応じてカラオケ端末機３に送信するものである。
【００１５】
カラオケ端末機３は、後述の背景画像再生装置５から背景画像情報を受け入れ、データベース１から送信されるカラオケ情報中の歌詞情報と重畳し、両者の複合画像をディスプレイすると共に、カラオケ音楽情報に基づいてカラオケ音楽を再生するものである。
【００１６】
インターフェイス４は、接続される背景画像再生装置５の機種名を入力することによって遠隔制御データベース１１からその機種名に対応する遠隔制御データを呼び出し得るものであり、遠隔制御データベース１１から送信された遠隔制御データを記録するための書き換え可能なメモリを有する。
【００１７】
このインターフェイス４は、このメモリに記録された遠隔制御データに基づき、カラオケ情報中の背景選択信号を接続される背景画像装置５に対応する遠隔制御信号に変換し、その制御信号を赤外線を発振し得る出力端から背景画像再生装置５に送出するものである。
【００１８】
なお、このインターフェイス４は、データベース１に送信すべきデータを通信信号に変換して図示しないモデムを介してデータベース１に送信し、かつ、データベース１から送信されるカラオケ情報中のカラオケ音楽及び歌詞情報を適正なレベルの信号に変換してカラオケ端末機３に送出する等のインターフェイスとしての通常の機能も有するものである。
【００１９】
背景画像再生装置５は、ＬＤ、ＶＣＤ、ＣＤ−Ｇ再生装置等の公知のものであり、赤外線ワイヤレスリモコンでその作動を制御し得るものであり、その赤外線受光部にインターフェイス４の出力端が貼り付けられるものである。
【００２０】
而して、この通信カラオケシステムでは、カラオケ端末機３側に背景画像再生装置５を接続する際に、インターフェイス４に接続される背景画像再生装置５の機種名を入力すると、インターフェイス４が自動的に遠隔制御データベース１１を呼び出す。
【００２１】
インターフェイス４が遠隔制御データベース１１に繋がると、そのインターフェイス４に向けて入力された機種名に対応する遠隔制御データを送信し、インターフェイス４内のメモリにその遠隔制御データが記録される。
【００２２】
インターフェイス４に所要の遠隔制御データが記録された後、通常の通信カラオケシステムと同様にしてリクエスト曲の選択操作等を行い、所望のリクエスト曲を入力すると、カラオケ端末機３が自動的にカラオケ情報データベース１０を呼び出し、カラオケ端末機３がカラオケ情報データベース１０に繋がると、そのカラオケ端末機３に向けてリクエスト曲のカラオケ情報を送信する。
【００２３】
インターフェイス４で受信されたカラオケ情報は、カラオケ音楽情報及び歌詞情報と、背景選択信号に二分され、このうち、カラオケ音楽情報及び歌詞情報は、カラオケ端末機３に送出され、カラオケ端末機３内のメモリに記録される。
【００２４】
また、背景選択信号は、インターフェイス４内で遠隔制御信号に変換された上で背景画像再生装置５に送出され、この遠隔制御信号に基づき、背景画像選択再生装置５は、所定の画像情報をカラオケ端末機３に送出する。
カラオケ端末機３は、この画像情報に、歌詞情報を重畳してディスプレイすると共に、カラオケ音楽を再生するものである。
【００２５】
このように、この通信カラオケシステムにおいては、背景画像再生装置の接続時にインターフェイス内の遠隔制御データをインターフェイスに記録するものであり、その記録内容も随時更新可能なので、背景画像再生装置を交換するなどしてその規格が変わったときでも、遠隔制御データベースに遠隔制御データが記録されている機種であればどのような規格の背景画像再生装置でも遠隔制御データを更新するだけで使用することができる。
【００２６】
なお、この通信カラオケ装置には、データベースの利用に応じてその利用料を利用者に課金する課金システムが設けることが推奨される。
また、本発明は叙上の実施例に限定されるものではなく、例えば、背景画像再生装置が操作信号入力端を具備するものであれば、インターフェイスからの遠隔制御信号をその入力端から入力するようにしてもよく、本発明は上記の説明から当業者が容易に想到し得る総ての変更実施例を包摂するものである。
【００２７】
【発明の効果】
本発明に係る通信カラオケシステムは叙上の如く構成されるので、本発明によるときは、インターフェイス自体を交換することなしに古い背景画像再生装置に替えて規格の異なる新たな背景画像装置を接続することができ、利用者の経済的負担が少なくなる上、メーカー側のコストも少なくて済むものである。
【図面の簡単な説明】
【図１】本発明に係る通信カラオケシステムのネットワーク構造を示すブロック図である。
【符号の説明】
１・・・・・・データベース
１０・・・・・カラオケ情報データベース
１１・・・・・遠隔制御データベース
２・・・・・・公衆電話回線網
３・・・・・・カラオケ端末機
４・・・・・・インターフェイス
５・・・・・・背景画像再生装置
【図１】
0003599252.tif 000002